(57)【要約】【課題】ガス機器に設置されている遮断弁をガス保安装置からの指示で遮断することによって、ガス使用環境の安全性を向上させる。【解決手段】ガス供給路１のガス流量と圧力を流量計測部２と圧力センサ４で、地震の発生を感震センサ６でそれぞれ検知するようにし、これら流量計測部２、圧力センサ４、感震センサ６からの信号を基に安全にガスが使用できるかどうかを制御回路５で判断して、この制御回路５が異常と判断した場合に遮断弁１０でガスを遮断するとともに、各ガス機器１２ａ〜１２ｃへのガス供給路には個別遮断弁１１ａ〜１１ｃを配置して、感震センサ６が所定の震度以上の震度を検知したときに前記遮断弁１０を遮断動作させ、感震センサ６が所定の震度以下の震度を検知したときには個別遮断弁１１ａ〜１１ｃを遮断動作させるようにした。【選択図】図１
2007232239.tif 000002
【特許請求の範囲】
【請求項１】
ガス供給路のガス流量を計測するための流量計測部と、ガス供給路内のガス圧を測定するための圧力センサと、地震が発生したことを感知する感震センサと、前記流量計測部、圧力センサ、感震センサからの信号を基に安全にガスが使用できるかどうかを判断する制御回路と、前記制御回路が異常と判断した場合にガスを遮断するための遮断弁と、各ガス機器へのガス供給路に設けられた個別遮断弁と具備し、前記感震センサが所定の震度以上の震度を検知したときに前記遮断弁を遮断動作させ、感震センサが所定の震度以下の震度を検知したときには個別遮断弁を遮断動作させるようにしたガス保安装置。
【請求項２】
現在使用されているガス機器を判定する使用ガス機器判定部を付加し、個別ガス機器遮断手段が使用状態のガス機器の個別遮断弁のみを遮断動作するようにした請求項１記載のガス保安装置。
【発明の詳細な説明】
【技術分野】
【０００１】
本発明は、ガス流量を計測し、異常流量が計測されたり、地震が発生した場合に、ガス通路を遮断し、ガス使用上の安全性を確保するガス保安装置に関するものである。
【背景技術】
【０００２】
ガスの使用量を計測するガスメータに、多量の流量が計測された場合や、通常ではありえないほどの長時間使用があった場合には、異常と判定してガス通路を遮断し、安全性を確保する保安装置が内蔵されたものが普及しつつある。
【０００３】
従来のガス保安装置について図３に基づき説明する。通常、ガスを使用するとガス保安装置の流量計測部３１にガスが流れ、その時々の流量に応じた信号が制御回路３２に伝えられる。
【０００４】
この信号を基にガスの積算流量を計算して、ガスの流れるパターンが異常かどうかを判定し、異常と判断した場合は遮断弁駆動回路３３に遮断信号を出力して遮断弁３４を遮断し、ガスを止める。また、前記積算流量は積算流量表示部３５で表示される。
【０００５】
さらに、保安機能としては、所定の震度以上の地震が発生した場合に感震センサ３６で検知した揺れを震度判定部３７で判定して遮断弁３４を遮断する機能や、ガス圧の異常を圧力センサ３８で検知して警告を出したり、遮断弁３４を遮断する機能を備えている（例えば、特許文献１，２参照）。
【特許文献１】特開２００５−１８８９２５号公報
【特許文献２】特開２０００−２１３７４２号公報
【発明の開示】
【発明が解決しようとする課題】
【０００６】
しかしながら、従来のガス保安装置では、所定の震度以下の地震が発生した場合には、ガスが遮断されなかった。そのため、所定の震度以下の地震でガス機器等に異常があってもガスを遮断して安全を確保することができないという課題を有していた。
【０００７】
本発明は、前記従来の課題を解決するもので、地震が発生した場合は、ガス機器に設置されている遮断弁を遮断することによって、ガス漏れを防止し、安全を確保することを目的とする。
【課題を解決するための手段】
【０００８】
前記従来の課題を解決するために本発明のガス保安装置は、ガス供給路のガス流量を計測するための流量計測部と、ガス供給路内のガス圧を測定するための圧力センサと、地震が発生したことを感知する感震センサと、前記流量計測部、圧力センサ、感震センサからの信号を基に安全にガスが使用できるかどうかを判断する制御回路と、前記制御回路が異常と判断した場合にガスを遮断するための遮断弁と、各ガス機器へのガス供給路に設けられた個別遮断弁と具備し、前記感震センサが所定の震度以上の震度を検知したときに前記遮断弁を遮断動作させ、感震センサが所定の震度以下の震度を検知したときには個別遮断弁を遮断動作させるようにしたものである。
【０００９】
これによって、ガス保安装置の遮断弁を遮断する所定の震度以下の地震が発生した場合でも、ガス機器に設置された遮断弁を遮断することによって、安全を確保できる。
【発明の効果】
【００１０】
本発明のガス保安装置は、従来より低い震度の地震でもガスを遮断できるため、ガス使用環境の安全性を向上させることができる。
【発明を実施するための最良の形態】
【００１１】
第１の発明は、ガス供給路のガス流量を計測するための流量計測部と、ガス供給路内のガス圧を測定するための圧力センサと、地震が発生したことを感知する感震センサと、前記流量計測部、圧力センサ、感震センサからの信号を基に安全にガスが使用できるかどうかを判断する制御回路と、前記制御回路が異常と判断した場合にガスを遮断するための遮断弁と、各ガス機器へのガス供給路に設けられた個別遮断弁と具備し、前記感震センサが所定の震度以上の震度を検知したときに前記遮断弁を遮断動作させ、感震センサが所定の震度以下の震度を検知したときには個別遮断弁を遮断動作させるようにしたもので、ガス保安装置の遮断弁を遮断すべき震度以下の地震が発生した場合でも、ガスを遮断して、ガス使用環境の安全を確保できる。
【００１２】
第２の発明は、特に第１の発明において、個別ガス機器遮断手段は地震発生時にガスを使用しているガス機器のみ遮断させるようにしたもので、合理的なガス遮断を行なうようにした。
【００１３】
以下、本発明の実施の形態について、図面を参照しながら説明する。なお、この実施の形態によって本発明が限定されるものではない。
【００１４】
（実施の形態１）
図１において、ガス供給路１のガス流量を流量計測部２で計測するとともに、計測した積算ガス流量を積算流量表示部３で表示され、また前記ガス供給路１の圧力が圧力センサ４で検出されるようにしてある。
【００１５】
制御回路５は、感震センサ６で検知した揺れを判定する震度判定部７、および個別ガス機器遮断手段８有する。
【００１６】
そして、震度判定部７は、前記感震センサ６で検知した揺れが設定値以上の場合とか、圧力センサ４で検出されたガス供給路１の内圧が以上である場合に、遮断弁駆動回路９働かせてガス供給路１に接続された遮断弁１０閉動させる。
【００１７】
前記ガス供給路１の下流側は、各々個別遮断弁１１ａ，１１ｂ，１１ｃ・・・を介在させたガス機器１２ａ，１２ｂ，１２ｃ・・・に接続されている。そして前記個別ガス機器遮断手段８の号は通信手段１３を介してガス機器１２ａ，１２ｂ，１２ｃ・・・の通信手段１４ａ，１４ｂ，１４ｃ・・・に伝えられ、ガス機器１２ａ〜１２・・・の個別遮断弁１１ａ，１１ｂ，１１ｃ・・・の少なくとも一つを閉動するようにしている。
【００１８】
以上のように構成されたガス保安装置について、以下その動作、作用を説明する。
【００１９】
今、地震が発生した場合、感震センサ６で検知された震度は震度判定部７で判定され、その判定した震度が所定の値以上の場合は、遮断弁駆動回路９に信号を送って遮断弁１０を遮断し、下流側へのガスの供給を停止する。
【００２０】
また、所定の震度以下の場合は、信号を個別ガス機器遮断手段８に送る。したがって、この個別ガス機器遮断手段８から通信手段１３を介してガス機器側の通信手段１４ａ，１４ｂ，１４ｃ・・・にその震度情報が伝わり、個別遮断弁１１ａ，１１ｂ，１１ｃ・・・を閉じて以降のガス機器１２ａ，１２ｂ，１２ｃ・・・の燃焼を停止するものである。
【００２１】
（実施の形態２）
図２は本発明の実施の形態２を示し、図１の実施の形態１と同一作用をする構成については同一符号を付し、詳細な説明は実施の形態１のものを援用する。
【００２２】
すなわち、実施の形態２は、流量計測部２で測定したガス流量の変化パターンなどから現在使用されているガス機器を判定する使用ガス機器判定部１５を制御回路５に設けたものである。
【００２３】
個別ガス機器遮断手段８の信号は通信手段１４を介して各ガス機器１２ａ，１２ｂ，１２ｃ・・・の通信手段とは相互の通信手段１４ａ，１４ｂ，１４ｃ・・・に伝えられ、使用状態にあるガス機器１２ａ，１２ｂ，１２ｃ・・・の個別遮断弁１１ａ，１１ｂ，１１ｃ・・・の少なくとも一つを閉動するようにしている。
【００２４】
さらに述べると、個別遮断弁１１ａ，１１ｂ，１１ｃ・・・は使用状態のガス機器１２ａ，１２ｂ，１２ｃ・・・に対応して開動しており、そのため、個別ガス機器遮断手段８による遮断指示も開動状態の個別遮断弁１１ａ，１１ｂ，１１ｃ・・・が対象となる。
【産業上の利用可能性】
【００２５】
以上のように、本発明にかかるガス保安装置は、地震発生時に、ガス機器それぞれに合わせた震度でガス機器へのガスの供給を停止できるため、ガス使用環境のさらなる安全性向上を実現することが可能となり、一般家庭用及び業務用ガスメーター等の用途に適用できる。
【図面の簡単な説明】
【００２６】
【図１】本発明の実施の形態１におけるガス保安装置の構成図
【図２】本発明の実施の形態２におけるガス保安装置の構成図
【図３】従来のガス保安装置の構成図
【符号の説明】
【００２７】
１  ガス供給路
２  流量計測部
４  圧力センサ
５  制御回路
６  感震センサ
７  震度判定部
８  個別ガス機器遮断手段
１０  遮断弁
１１ａ，１１ｂ，１１ｃ  個別遮断弁
１２ａ，１２ｂ，１２ｃ  ガス機器
１５  使用ガス機器判定部
【図１】
2007232239.tif 000003
【図２】
2007232239.tif 000004
【図３】
2007232239.tif 000005